(57)【要約】【課題】本発明は、電子カメラ単体において、動画像ファイルの動きの滑らかさを簡易にコントロールすることを目的とする。【解決手段】本発明の電子カメラは、被写体を撮像して単位時間当たりＮコマの動画像を生成する撮像部と、撮像部で生成された動画像のコマを複製して複数コマずつ格納することにより、コマのばしを施した動画像ファイルを生成するコマのばしファイル生成部とを備える。このようなコマのばしの機能を電子カメラに備えることにより、動画像ファイルの動きのぎこちなさを簡易にコントロールできる。【選択図】        図２
2004248117.tif 000002
【特許請求の範囲】
【請求項１】
被写体を撮像して、単位時間当たりＮコマの動画像を生成する撮像部と（ただしＮ＞０）、
前記撮像部で生成された前記動画像のコマを複製して複数コマずつ格納することにより、コマのばしを施した動画像ファイルを生成するコマのばしファイル生成部と
を備えたことを特徴とする電子カメラ。
【請求項２】
請求項１に記載の電子カメラにおいて、
前記撮像部は、
前記単位時間当たりＭコマの動画像を撮像する撮像素子と（ただしＭ＞Ｎ）、前記撮像素子で撮像される前記動画像のコマを間引くことにより、前記単位時間当たりＮコマの前記動画像を生成するコマ抜き処理部とを有し、
前記コマのばしファイル生成部は、前記コマ抜き処理部によりコマ間隔が粗くなった前記動画像に対して前記コマのばしを施す
ことを特徴とする電子カメラ。
【請求項３】
請求項１または請求項２に記載の電子カメラにおいて、
前記コマのばしファイル生成部は、
前記撮像部から生成される前記動画像を蓄積するバッファメモリと、
前記バッファメモリ内から前記動画像のコマを複数回ずつ読み出しながら逐次に画像圧縮を行うことにより、コマのばしを施した前記動画像ファイルを生成するファイル処理部とを有する
ことを特徴とする電子カメラ。
【請求項４】
請求項１または請求項２に記載の電子カメラにおいて、
前記コマのばしファイル生成部は、
前記撮像部から生成される前記動画像のコマを画像圧縮する画像圧縮部と、
前記画像圧縮部により生成される前記コマの圧縮データを複製することにより、コマのばしを施した前記動画像ファイルを生成するファイル処理部とを有することを特徴とする電子カメラ。
【請求項５】
単位時間当たりＭコマの動画像を撮像する撮像部と（ただしＭ＞０）、
前記撮像部で撮像される前記動画像のコマを画像圧縮する画像圧縮部と、
前記画像圧縮部から出力される圧縮済み動画像をコマ抜きすることにより、前記単位時間当たりＮコマの前記圧縮済み動画像を生成するコマ抜き処理部と（ただしＭ＞Ｎ）、
前記コマ抜き処理部によりコマ間隔が粗くなった前記圧縮済み動画像に対してコマのばしを施し、動画像ファイルを生成するコマのばしファイル生成部と
を備えたことを特徴とする電子カメラ。
【請求項６】
請求項１ないし請求項５のいずれか１項に記載の電子カメラにおいて、
ユーザー操作によりセピア色などのモノクロ動画撮影を設定する操作部と、
前記操作部によって前記モノクロ動画撮影が選択されると、前記動画像をモノクロに変換すると共に、前記コマのばしファイル生成部を用いてコマのばしを施したモノクロ動画像ファイルを生成するモノクロ処理部と
を備えたことを特徴とする電子カメラ。
【発明の詳細な説明】
【０００１】
【発明の属する技術分野】
本発明は、動画撮影機能を有する電子カメラに関する。特に、本発明は、電子カメラ内において、動画像にコマのばしを施す画像加工機能を有する電子カメラに関する。
【０００２】
【従来の技術】
従来、デジタルビデオカメラにおいて、撮影画像をセピアなどのモノクロ動画像に変換して記録するものが知られている。
また、最近の電子（スチル）カメラには、動画撮影機能を有するものも知られている。この種の電子カメラには、カメラ本体で動画ファイルを２倍速再生したり、逆転再生できるものもある。
【０００３】
また、下記の特許文献１には、電子カメラ本体で動画編集を行う技術が開示されている。この従来技術では、複数の動画像をユーザーが適宜に連結することによって、高度な映像作品を完成させることできる。
【特許文献１】
特開平１０−２００８４３号公報（図２０など）
【０００４】
【発明が解決しようとする課題】
上述したように、従来例には、再生速度など動きの速さ自体をコントロールするものはあった。しかし、動画像の動きの滑らかさ（ぎごちなさ）を積極的にコントロールするものはなかった。
【０００５】
そこで、本発明者は、動画像の動きのぎこちなさを積極的にコントロールすることによって、動画像の表現上の自由度を更に拡大できると考えた。
例えば、動画像の動きをぎこちなく演出できれば、初期の映画（いわゆる「活動写真」）のように断続的に動く懐古調の動画像ファイルを作成することができる。
しかし、一般的な電子カメラでは、高解像度のスチル画撮影用の撮像素子をそのまま使用して動画像を撮影する。このとき、高速ドラフトモードなどの駆動モードを使用して撮像素子の内部で画素数を減らすことによって、低解像度かつ高速フレームレートの動画像を撮像する。そのため、動画像のフレームレートは撮像素子のハードウェア構成に依存して固定され、動画像の動きのぎこちなさを直にコントロールすることは不可能であった。
【０００６】
そこで、本発明では、電子カメラにおいて、動画像ファイルの動きのぎこちなさを簡易にコントロールする技術を提供することを目的とする。
【０００７】
【課題を解決するための手段】
以下、本発明について説明する。
【０００８】
《請求項１》
請求項１の電子カメラは、被写体を撮像して単位時間当たりＮコマの動画像を生成する撮像部と（ただしＮ＞０）、撮像部で生成された動画像のコマを複製して複数コマずつ格納することにより、コマのばしを施した動画像ファイルを生成するコマのばしファイル生成部とを備えたことを特徴とする。なお、本発明の『単位時間』は、１秒間などの特定の時間間隔に限定されない。
【０００９】
《請求項２》
請求項２に記載の発明は、請求項１に記載の電子カメラにおいて、撮像部は、単位時間当たりＭコマの動画像を撮像する撮像素子と（ただしＭ＞Ｎ）、撮像素子で撮像される動画像のコマを間引くことにより、単位時間当たりＮコマの動画像を生成するコマ抜き処理部とを有し、コマのばしファイル生成部は、コマ抜き処理部によりコマ間隔が粗くなった動画像に対してコマのばしを施すことを特徴とする。
【００１０】
《請求項３》
請求項３に記載の発明は、請求項１または請求項２に記載の電子カメラにおいて、コマのばしファイル生成部は、撮像部から生成される動画像を蓄積するバッファメモリと、バッファメモリ内から動画像のコマを複数回ずつ読み出しながら逐次に画像圧縮を行うことにより、コマのばしを施した動画像ファイルを生成するファイル処理部とを有することを特徴とする。
【００１１】
《請求項４》
請求項４に記載の発明は、請求項１または請求項２に記載の電子カメラにおいて、コマのばしファイル生成部は、撮像部から生成される動画像のコマを画像圧縮する画像圧縮部と、画像圧縮部により生成されるコマの圧縮データを複製することにより、コマのばしを施した動画像ファイルを生成するファイル処理部とを有することを特徴とする。
【００１２】
《請求項５》
請求項５に記載の電子カメラは、単位時間当たりＭコマの動画像を撮像する撮像部と（ただしＭ＞０）、撮像部で撮像される動画像のコマを画像圧縮する画像圧縮部と、画像圧縮部から出力される圧縮済み動画像をコマ抜きすることにより、単位時間当たりＮコマの圧縮済み動画像を生成するコマ抜き処理部と（ただしＭ＞Ｎ）、コマ抜き処理部によりコマ間隔が粗くなった前記圧縮済み動画像に対してコマのばしを施し、動画像ファイルを生成するコマのばしファイル生成部とを備えることを特徴とする。
【００１３】
《請求項６》
請求項６に記載の発明は、請求項１ないし請求項５のいずれか１項に記載の電子カメラにおいて、ユーザー操作によりセピア色などのモノクロ動画撮影を設定する操作部と、操作部によってモノクロ動画撮影が選択されると、動画像をモノクロに変換すると共に、コマのばしファイル生成部を用いてコマのばしを施したモノクロ動画像ファイルを生成するモノクロ処理部とを備えたことを特徴とする。
【００１４】
【発明の実施の形態】
以下、図面に基づいて本発明にかかる実施形態を説明する。
【００１５】
《第１の実施形態》
第１の実施形態は、請求項１〜３，６に対応する実施形態である。
図１は、第１の実施形態における電子カメラ１１の構成を示す図である。
図１に示すように、電子カメラ１１には、撮影レンズ１２が装着される。この撮影レンズ１２の光路上には撮像素子１３が配置される。この撮像素子１３は、タイミングジェネレータ１４によって駆動される。
【００１６】
この撮像素子１３において生成される画像データは、Ａ／Ｄ変換部１５を介してデジタル化された後、信号処理部１６に与えられる。信号処理部１６は、この画像データに対して、黒レベル補正などの信号処理を施す。信号処理された画像データは、バッファメモリ１７に一時記憶される。このバッファメモリ１７は、バス１８に接続される。このバス１８には、画像処理部１９、記録部２０、マイクロプロセッサ２２、画像圧縮部２３、およびＤＭＡコントローラ２４などが接続される。
このマイクロプロセッサ２２には、スイッチ群２２ａを介して、レリーズ操作やモード設定などの操作情報が入力される。例えば、ユーザーは、スイッチ群２２ａを操作することによって、セピア色などのモノクロ動画撮影をモード設定することができる。
【００１７】
［発明との対応関係］
以下、発明と第１の実施形態との対応関係について説明する。なお、ここでの対応関係は、参考のために一解釈を例示するものであり、本発明を徒らに限定するものではない。
請求項記載の撮像部は、撮像素子１３、タイミングジェネレータ１４、Ａ／Ｄ変換部１５、バッファメモリ１７、およびマイクロプロセッサ２２に対応する。請求項記載のコマのばしファイル生成部は、バッファメモリ１７、画像圧縮部２３、ＤＭＡコントローラ２４、記録部２０、およびマイクロプロセッサ２２の「コマのばしを施した動画像ファイルを生成する機能」に対応する。
請求項記載の撮像素子は、撮像素子１３に対応する。
請求項記載のコマ抜き処理部は、バッファメモリ１７、およびマイクロプロセッサ２２の「動画像をコマ間隔Ｓでコマ抜きする機能」に対応する。
請求項記載のバッファメモリは、バッファメモリ１７に対応する。
請求項記載のファイル処理部は、画像圧縮部２３、マイクロプロセッサ２２、ＤＭＡコントローラ２４、および記録部２０に対応する。
請求項記載の操作部は、スイッチ群２２ａ、およびマイクロプロセッサ２２の「ユーザー操作によりセピア色のモノクロ動画撮影をモード設定する機能」に対応する。
請求項記載のモノクロ処理部は、画像処理部１９およびマイクロプロセッサ２２の『モノクロ動作撮影のユーザ設定に応じて、コマのばしされたモノクロ動画像ファイルを生成する機能』に対応する。
【００１８】
［第１の実施形態の動作説明］
図２は、第１の実施形態の動作を説明する流れ図である。以下、図２に示すステップに沿って、第１の実施形態の動作を説明する。
【００１９】
ステップＳ１：  マイクロプロセッサ２２は、電子カメラ１１が『セピア色のモノクロ動画撮影を行うモード』にユーザー設定されているか否かを判定する。
ここで、セピア色のモノクロ動画撮影モードにユーザー設定されている場合、マイクロプロセッサ２２は、ステップＳ２に動作を移行する。
一方、その他の撮影モードにユーザー設定されている場合、マイクロプロセッサ２２は、その他の撮影モードの動作ルーチンへ動作を移行する。なお、これらその他の撮影モードの動作ルーチンについては、説明を省略する。
【００２０】
ステップＳ２：  マイクロプロセッサ２２は、タイミングジェネレータ１４を介して、撮像素子１３を高速ドラフトモードで駆動する。撮像素子１３から出力される縦２４０ラインかつ１５ｆｐｓ（フレーム／秒）の動画像は、不図示のビューファインダに逐次表示される。
【００２１】
ステップＳ３：  この状態において、ユーザーがスイッチ群２２ａのレリーズ釦を操作することで、動画撮影を指示する。この動画撮影の指示期間中、マイクロプロセッサ２２は、高速ドラフトモードで撮影された動画像を、信号処理部１６またはバッファメモリ１７中において、間引き間隔Ｓ（Ｓ≧２、例えば、Ｓ＝３，５，１５コマ）でコマ抜きする。このＳコマ間隔の動画像は、バッファメモリ１７に一時記憶される。
【００２２】
ステップＳ４：  画像処理部１９は、バッファメモリ１７内の動画像に対して、色補間処理を順次に実行する。この色補間処理により、画素単位に全色成分が揃う。（なお、モノクロ動画撮影に限れば、画素単位に輝度成分のみを揃えてもよい。）
【００２３】
ステップＳ５：  画像処理部１９は、バッファメモリ１７内の動画像に対して、垂直補間を順次に施す。この垂直補間により、動画像の縦２４０ラインが２倍に増加し、縦４８０ラインの動画像になる。
なお、この動画像の水平方向については、Ａ／Ｄ変換部１５の標本タイミングによって、既に横６４０画素に調整されている。そのため、この垂直補間により、横６４０画素×縦４８０画素のＶＧＡサイズの動画像が得られる。
このような垂直補間により、テレビ画面やコンピュータのモニタ画面などの大きな再生画面に適した動画像を得ることができる。
【００２４】
ステップＳ６：  画像処理部１９は、バッファメモリ１７内の動画像に対して、セピア色への色座標変換、および色差間引きを順次に実施する。（なお、ステップＳ５とステップＳ６とは、動作順を入れ替えてもよい）
【００２５】
ステップＳ７：  マイクロプロセッサ２２は、バッファメモリ１７内の未圧縮の動画像の内で、一番古く撮影された動画像を１コマ選択する。
【００２６】
ステップＳ８：  マイクロプロセッサ２２は、ＤＭＡコントローラ２４に指示し、選択した動画像を画像圧縮部２３へＤＭＡ（ダイレクトメモリアクセス）転送する。このＤＭＡ転送は、同一の動画像に対してＳ回繰り返し実行される。その結果、画像圧縮部２３は、同一の動画像に対する圧縮処理をＳ回繰り返し、同一の圧縮データをＳ回繰り返して出力する。
【００２７】
ステップＳ９：  マイクロプロセッサ２２は、画像圧縮部２３から順次出力されるＳコマ分の圧縮データを、動画像ファイルに順次格納する。
【００２８】
ステップＳ１０：  ここで、マイクロプロセッサ２２は、バッファメモリ１７内の動画像を全て圧縮処理したか否かを判定する。
ここで、圧縮処理を全て完了していない場合、マイクロプロセッサ２２は、ステップＳ７に動作を戻す。
一方、圧縮処理を全て完了した場合、マイクロプロセッサ２２は、記録部２０に指示し、完成した動画像ファイルを記録媒体２１に記録保存する。
【００２９】
［第１の実施形態の効果など］
以上説明した動作により、電子カメラ１１において、動画像ファイルのフレームレートを一定に保ったまま、動きを示すコマ数を実質的に減ずることが可能になる。その結果、昔の活動写真のような動きの粗い動画像ファイルを作成することが可能になる。
【００３０】
特に、第１の実施形態では、ユーザーがセピア色の動画撮影をモード設定するだけで、ぎこちない動きの画像加工を、セピア色の色座標変換と共に実施する。そのため、ユーザーは、『セピア色の設定』と『ぎこちない動きの設定』という本来別々の設定操作を個別に行う必要がなく、１回の設定操作で懐古調の動画撮影を簡単かつ即座に実行することが可能になる。
【００３１】
さらに、第１の実施形態では、画像圧縮部２３へ同一コマをＳ回転送することによって、Ｓコマのコマのばしを実現する。この場合、圧縮前の比較的大容量の画像データをバッファメモリ１７内で複製する必要がなくなる。そのため、バッファメモリ１７の使用効率が高く、より長時間の動画撮影が可能になる。
また、本実施形態では、時間軸に対して均等にコマ抜きを行い、かつ均等にコマのばしを行っている。その結果、ぎこちない動きでありながらも、動き間隔が均等になり、自然な動きを演出することが可能になる。
次に、別の実施形態について説明する。
【００３２】
《第２の実施形態》
第２の実施形態は、請求項１，２，４，６に対応する実施形態である。
なお、第２の実施形態の構成は、第１の実施形態の構成（図１）と同様であるため、ここでの構成説明を省略する。
【００３３】
［発明との対応関係］
以下、発明と第２の実施形態との対応関係について説明する。なお、ここでの対応関係は、参考のために一解釈を例示するものであり、本発明を徒らに限定するものではない。
請求項記載の撮像部は、撮像素子１３、タイミングジェネレータ１４、Ａ／Ｄ変換部１５、バッファメモリ１７、およびマイクロプロセッサ２２に対応する。請求項記載のコマのばしファイル生成部は、バッファメモリ１７、画像圧縮部２３、ＤＭＡコントローラ２４、記録部２０、およびマイクロプロセッサ２２の「コマのばしを施した動画像ファイルを生成する機能」に対応する。
請求項記載の撮像素子は、撮像素子１３に対応する。
請求項記載のコマ抜き処理部は、バッファメモリ１７、およびマイクロプロセッサ２２の「動画像をコマ間隔Ｓでコマ抜きする機能」に対応する。
請求項記載の画像圧縮部は、画像圧縮部２３に対応する。
請求項記載のファイル処理部は、マイクロプロセッサ２２、ＤＭＡコントローラ２４、バッファメモリ１７、および記録部２０に対応する。
請求項記載の操作部は、スイッチ群２２ａ、およびマイクロプロセッサ２２の「ユーザー操作によりセピア色のモノクロ動画撮影をモード設定する機能」に対応する。
請求項記載のモノクロ処理部は、画像処理部１９およびマイクロプロセッサ２２の『モノクロ動作撮影のユーザ設定に応じて、コマのばしされたモノクロ動画像ファイルを生成する機能』に対応する。
【００３４】
［第２の実施形態の動作説明］
図３は、第２の実施形態の動作を説明する流れ図である。
なお、図３に示すステップＳ１〜Ｓ７、Ｓ１０の動作については、第１の実施形態（図２）と同様であるため、これらのステップに関する動作説明を省略する。ここでは、第２の実施形態の特徴的動作であるステップＳ２１〜２２について説明する。
【００３５】
ステップＳ２１：  マイクロプロセッサ２２は、ＤＭＡコントローラ２４に指示し、選択した動画像を画像圧縮部２３へ１回だけＤＭＡ（ダイレクトメモリアクセス）転送する。
【００３６】
ステップＳ２２：  マイクロプロセッサ２２は、画像圧縮部２３から出力される圧縮データをＳコマずつ複製し、動画像ファイルに順次格納する。
【００３７】
［第２の実施形態の効果など］
以上説明した動作により、第２の実施形態においても、動画像ファイルのフレームレートを一定に保ったまま、動きを示すコマ数を実質的に減ずることができる。その結果、昔の活動写真のような動きの粗い動画像ファイルを作成することが可能になる。
【００３８】
特に、第２の実施形態では、画像圧縮部２３から出力される圧縮データをＳコマ分に複製することによって、Ｓコマのコマのばしを実現する。そのため、画像圧縮の総所要時間をおおよそ１／Ｓに短縮することが可能になり、より高速に動画像ファイルを作成完了することができる。
【００３９】
《第３の実施形態》
第３の実施形態は、請求項５，６に対応する実施形態である。
なお、第３の実施形態の構成は、第１の実施形態の構成（図１）と同様であるため、ここでの構成説明を省略する。
【００４０】
［発明との対応関係］
以下、発明と第３の実施形態との対応関係について説明する。なお、ここでの対応関係は、参考のために一解釈を例示するものであり、本発明を徒らに限定するものではない。
請求項記載の撮像部は、撮像素子１３、タイミングジェネレータ１４、Ａ／Ｄ変換部１５、バッファメモリ１７、およびマイクロプロセッサ２２に対応する。
請求項記載の画像圧縮部は、画像圧縮部２３に対応する。
請求項記載のコマ抜き処理部は、バッファメモリ１７、およびマイクロプロセッサ２２の「圧縮済み動画像をコマ間隔Ｓでコマ抜きする機能」に対応する。
請求項記載のコマのばしファイル生成部は、バッファメモリ１７、記録部２０、およびマイクロプロセッサ２２の「コマ抜きした圧縮済み動画像にコマのばしを施して動画像ファイルを生成する機能」に対応する。
請求項記載の操作部は、スイッチ群２２ａ、およびマイクロプロセッサ２２の「ユーザー操作によりセピア色のモノクロ動画撮影をモード設定する機能」に対応する。
請求項記載のモノクロ処理部は、画像処理部１９およびマイクロプロセッサ２２の『モノクロ動作撮影のユーザ設定に応じて、コマのばしされたモノクロ動画像ファイルを生成する機能』に対応する。
【００４１】
［第３の実施形態の動作説明］
図４は、第３の実施形態の動作を説明する流れ図である。
なお、図４に示すステップＳ１，Ｓ２，Ｓ４〜Ｓ６の動作については、第１の実施形態（図２）と同様であるため、これらのステップに関する動作説明を省略する。ここでは、第３の実施形態の特徴的動作であるステップＳ３１〜３４について説明する。
【００４２】
ステップＳ３１：  ユーザーはスイッチ群２２ａのレリーズ釦を操作することで、動画撮影を指示する。この動画撮影の指示期間中、マイクロプロセッサ２２は、高速ドラフトモードで撮影された動画像を、バッファメモリ１７に蓄積する。
【００４３】
ステップＳ３２：  マイクロプロセッサ２２は、ＤＭＡコントローラ２４に指示し、バッファメモリ内の動画像を画像圧縮部２３へ順次にＤＭＡ（ダイレクトメモリアクセス）転送する。
【００４４】
ステップＳ３３：  マイクロプロセッサ２２は、画像圧縮部２３から出力される圧縮済み動画像を間引き間隔Ｓ（例えば、Ｓ＝３，５，１５コマ）でコマ抜きして、バッファメモリ１７に蓄積する。
【００４５】
ステップＳ３４：  コマ抜きした圧縮済み動画像をＳコマずつ複製し、動画像ファイルに順次格納する。
【００４６】
［第３の実施形態の効果など］
以上説明した動作により、第３の実施形態においても、動画像ファイルのフレームレートを一定に保ったまま、動きを示すコマ数を実質的に減ずることができる。その結果、昔の活動写真のような動きの粗い動画像ファイルを作成することが可能になる。
【００４７】
特に、第３の実施形態では、ステップＳ３２までは、通常の動画撮影とほぼ同一の動作である。そのため、電子カメラ１１の内部信号経路を極力変更せずに、コマのばしを行った動画像ファイルを生成することができる。
【００４８】
さらに、第３の実施形態では、画像圧縮部２３から出力される低容量の圧縮済み動画像を操作して、コマ抜きとコマのばしをまとめて実現する。したがって、この追加部分の処理負荷が軽く、かつバッファメモリ１７の使用効率も高いという利点がある。
【００４９】
［実施形態の補足事項］
なお、上述した実施形態において、古い映画フィルムに見られるような縦方向のフィルム傷を模したノイズパターンを動画像に合成することが好ましい。このような画像処理により、更に懐古調を演出した動画像ファイルを生成することができる。
【００５０】
また、上述した実施形態において、『映写機の映写音』や『映写後のリール空回り音』を模した音声データを動画像ファイルに記録することが好ましい。このような音声処理により、更に懐古調を演出した動画像ファイルを生成することができる。
【００５１】
さらに、上述した実施形態において、古い可燃性セルロイドフィルムが映写機で燃える様を模した画像パターンを動画像に合成することが好ましい。このような画像処理により、更に懐古調を演出した動画像ファイルを生成することができる。
【００５２】
また、上述した実施形態において、古い映画フィルムの上映時に見られる明滅パターンや髪の毛などの異物パターンを動画像に合成することが好ましい。このような画像処理により、更に懐古調を演出した動画像ファイルを生成することができる。
【００５３】
なお、上述した実施形態では、１／Ｓ倍のコマ抜きを行った後、Ｓ倍のコマのばしを行っている。この場合、動きの間隔を均等に保ったまま、ぎこちない動きを演出できるという長所がある。
【００５４】
しかしながら、本発明はこれに限定されるものではない。例えば、まず、単位時間当たりＭコマの動画像に対してコマ抜きを行って、単位時間当たりＮコマの動画像を生成する。次に、この単位時間当たりＮコマの動画像に対してコマのばしを行うことによって、ぎこちない動きの動画像を生成してもよい。なお、この場合は、このコマ抜きされた動画像に対し、単位時間当たり（Ｍ−Ｎ）コマの複製コマを挿入することにより、単位時間当たりＭコマの動画像ファイルを生成することが好ましい。このような処理により、動画像のフレームレートを変えずに、ぎこちない動きの動画像を生成することができる。
【００５５】
また、上述した実施形態は、作成する動画像ファイルのファイル形式に特に限定されるものではない。例えば、クイックタイム（ＴＭ）形式の動画像ファイルでもよいし、モーションＪＰＥＧや、ＪＰＥＧ２０００の動画像ファイル形式でもよい。また、ＭＰＥＧ形式のようにフレーム間の予測差分を記録する動画像ファイル形式でもよい。この場合、フレーム間の予測差分をゼロとして符号化を行うことにより、動画像ファイル内のコマを複製（コマのばし）することが可能になる。
【００５６】
なお、第２の実施形態では、色差間引きと画像圧縮とを連続して実行することも可能である。この場合、画像圧縮部２３で順次生成される各コマの圧縮データを逐次に複製しつつ、動画像ファイルに格納することも可能になる。このような動作では、動画像ファイルの生成に要するバッファメモリの容量を抑制することができる。また、このような動作では、色差間引き、画像圧縮、および複製処理の一連の動作をパイプライン処理することが可能となるため、更なる高速処理が可能になる。
【００５７】
【発明の効果】
以上説明したように、本発明では、動画像を複製してコマのばしすることにより、断続的な動きの動画像ファイルを簡易に作成することができる。
したがって、本発明により、電子カメラ単体では従来不可能であった動画像の動きのぎこちなさを簡易にコントロールすることが可能になる。
【図面の簡単な説明】
【図１】電子カメラ１１の構成を示す図である。
【図２】第１の実施形態の動作を説明する流れ図である。
【図３】第２の実施形態の動作を説明する流れ図である。
【図４】第３の実施形態の動作を説明する流れ図である。
【符号の説明】
１１  電子カメラ
１２  撮影レンズ
１３  撮像素子
１４  タイミングジェネレータ
１５  Ａ／Ｄ変換部
１６  信号処理部
１７  バッファメモリ
１８  バス
１９  画像処理部
２０  記録部
２２  マイクロプロセッサ
２２ａ  スイッチ群
２３  画像圧縮部
２４  ＤＭＡコントローラ
【図１】
2004248117.tif 000003
【図２】
2004248117.tif 000004
【図３】
2004248117.tif 000005
【図４】
2004248117.tif 000006